(57)【要約】【課題】排便等の汚物全体を吸水剤に接触させてしっかりと凝固させて衛生的にかつ容易に廃棄処理を行え、繰り返して使用できる構造簡単な簡易トイレを提供する。【解決手段】簡易トイレ１は、内側に空間Ｅが設けられた筒状の便座支持台２と、用便用開口部７ｂ，８ｂ（３ａ）を有し便座支持台２の上端に着脱自在に取り付けられる便座板７と便座カバー８とからなる便座３と、便座支持台２の内側の空間Ｅ内に配置され、上端の開口部４ａを便座３の用便用開口部７ｂ，８ｂ（３ａ）に連通させて上端縁４ｂを、便座３を介して便座支持台２の上端に着脱自在に装着される便収容袋４とを備え、便座支持台２の空間Ｅの下部に、便収容袋４の底部４ｃを一方側（前側）が他方側（後側）より低くなるように傾斜させて支える台座６と一体の受板５が設けられた構成とされている。【選択図】図５
2007209692.tif 000002
【特許請求の範囲】
【請求項１】
内側に空間が設けられた便座支持台と、用便用開口部を有し前記便座支持台の上端に着脱自在に取り付けられる便座と、前記便座支持台の内側の空間内に配置され、上端の開口部を前記便座の用便用開口部に連通させて上端縁を前記便座支持台の上端に着脱自在に装着される便収容袋とを備えた簡易トイレにおいて、
前記便座支持台の空間の下部には、前記便収容袋の底部を一方側が他方側より低くなるように傾斜させて支える受板が設けられていることを特徴とする簡易トイレ。
【請求項２】
前記便座支持台は上下が開放された筒状体に形成され、該筒状体の下端に、筒状体を横切る方向に向けられ筒状体の外側に突き出す台座が着脱自在に装着され、該台座に前記受板が支持されていることを特徴とする請求項１に記載の簡易トイレ。
【請求項３】
前記台座は、矩形状平板を一対の折れ線で折り曲げてその両端部に一端側が他端側より高さの低い一対の起立部が形成され、該各起立部の両側に前記便座支持台の下端部に係合する係合溝が設けられると共に、前記矩形状平板の他端部に一体に連結された台座より小さい矩形状平板からなる前記受板が、台座との連結部の折れ線で台座の一端側に折り曲げられて、該一端部の起立部に設けた係合凹部に受板の自由端側に設けた突出部を着脱可能に形成されていることを特徴とする請求項２に記載の簡易トイレ。
【請求項４】
前記便座は矩形状の便座板とその上に被せる矩形箱状の便座カバーを備えており、該便座カバーに被せる蓋体が設けられると共に、前記便座支持台と台座と受板が扁平に折り畳み可能に形成され、前記便座カバーの内部に前記便座板、便座支持台、台座、受板、便収納袋が重ねられて収納され、収納物を入れた便座カバーが前記蓋体を被せて閉じられた状態で携帯可能とされていることを特徴とする請求項２または３に記載の簡易トイレ。
【発明の詳細な説明】
【技術分野】
【０００１】
本発明は、野外やトイレ設備のない場所で緊急にトイレを必要とするときに、簡単に組み立てて使用することができる携帯可能な簡易トイレに関するものである。
【背景技術】
【０００２】
従来、この種の簡易トイレとして、各種飲料が充填された容器を複数個収容可能な汎用の空段ボール箱で上端に開口部を有する箱形の便座支持台を構成する一方、段ボール材からなる矩形状の板状部材で開閉自在の用便用開口部を有する便座を構成し、合成樹脂製のシートからなる上端に開口を有する便収容袋を、前記便座支持台の上端に載置した前記便座の用便用開口部を通して便座支持台の内部に入れて、上端開口の周縁部を便座の上面に被せるように装着して使用するものが知られている（例えば、特許文献１参照）。
また、前記空段ボール箱の代わりに、板紙を折り曲げて上部が開口した有底の矩形状箱からなる便座支持台を構成し、合成樹脂製の厚紙で上端が開閉可能な有底のミルクカートン状袋からなる便槽箱を、前記便座支持台の内部に入れて上端を便座支持台に係止させると共に、厚紙を折り曲げて箱状に形成された中央に用便用開口部を有する便座を前記便座支持台の上端に載置して使用するものも知られている（例えば、特許文献２参照）。
さらに、紙おむつ用材料で上端が開口した矩形箱状の便収容袋を、折り畳み可能な脚部からなる便座支持台の中央空間部に挿入して、上端部を前記便座支持台の上端に係止すると共に、便座支持台の上端に用便用開口部を有する便座を載置して使用するものが知られている（例えば、特許文献３参照）
【特許文献１】特開２００５−４６３３９号公報
【特許文献２】特開平１１−５６６７９号公報
【特許文献３】実用新案登録第３０１６８９５号公報
【発明の開示】
【発明が解決しようとする課題】
【０００３】
しかしながら、従来の簡易トイレにおいては、柔軟性シートからなる便収容袋がその下部を前記便座支持台の箱の底部に水平状に支えられているか、または便収容袋が箱状に形成されて水平状の底部を有しているので、便収容袋内に排泄された汚物が流動性を有していると、便収容袋の底部の四隅部にまで汚物が広く分散することがある。この場合には、汚物を凝固させるために、消臭、殺菌作用を有する薬剤を混合した高分子吸水剤粉末を汚物上に散布しても、便収容袋の四隅部まで広く均一に散布することが難しく、汚物全体をしっかりと凝固させることができず、廃棄処理を衛生的にかつ簡単に行うことができないという問題がある。また、凝固剤を備えた吸水シートを便収納袋の底部に設ける場合もあるが、この場合も上記問題を十分に解決することができない不満がある。さらに、紙おむつ式の便収容袋で全面に水分吸収部材を固定したものでは、１回の用便等にしか使用することができず非経済的である。
【０００４】
本発明は、上記事情に鑑みてなされたものであって、排便等の汚物全体を吸水剤に接触させてしっかりと凝固させることにより、衛生的にかつ容易に廃棄処理を行うことができると共に、繰り返して使用することができる構造が簡単な簡易トイレを提供することを目的とする。
【課題を解決するための手段】
【０００５】
本発明は、前記課題を解決するために、以下の構成としたことを特徴とする。
すなわち、請求項１に係る簡易トイレは、内側に空間が設けられた便座支持台と、用便用開口部を有し前記便座支持台の上端に着脱自在に取り付けられる便座と、前記便座支持台の内側の空間内に配置され、上端の開口部を前記便座の用便用開口部に連通させて上端縁を前記便座支持台の上端に着脱自在に装着される便収容袋とを備えた簡易トイレにおいて、前記便座支持台の空間の下部には、前記便収容袋の底部を一方側が他方側より低くなるように傾斜させて支える受板が設けられていることを特徴としている。
【０００６】
請求項２に係る簡易トイレは、請求項１に記載の簡易トイレにおいて、前記便座支持台は上下が開放された筒状体に形成され、該筒状体の下端に、筒状体を横切る方向に向けられ筒状体の外側に突き出す台座が着脱自在に装着され、該台座に前記受板が支持されていることを特徴としている。
【０００７】
請求項３に係る簡易トイレは、請求項２に記載の簡易トイレにおいて、前記台座は、矩形状平板を一対の折れ線で折り曲げてその両端部に一端側が他端側より高さの低い一対の起立部が形成され、該各起立部の両側に前記便座支持台の下端部に係合する係合溝が設けられると共に、前記矩形状平板の他端部に一体に連結された台座より小さい矩形状平板からなる前記受板が、台座との連結部の折れ線で台座の一端側に折り曲げられて、該一端部の起立部に設けた係合凹部に受板の自由端側に設けた突出部を着脱可能に形成されていることを特徴としている。
【０００８】
請求項４に係る簡易トイレは、請求項２または３に記載の簡易トイレにおいて、前記便座は矩形状の便座板とその上に被せる矩形箱状の便座カバーを備えており、該便座カバーに被せる蓋体が設けられると共に、前記便座支持台と台座と受板が扁平に折り畳み可能に形成され、前記便座カバーの内部に前記便座板、便座支持台、台座、受板、便収納袋が重ねられて収納され、収納物を入れた便座カバーが前記蓋体を被せて閉じられた状態で携帯可能とされていることを特徴としている。
【発明の効果】
【０００９】
本発明は以下の優れた効果を奏する。
すなわち、請求項１に係る簡易トイレによれば、便座支持台の内側の下部に傾斜して配置した受板によって、便収納袋の底部が一方側を他方側より低くなるように傾斜した状態で支持されるので、便収納袋内に排泄された排便等の汚物は低い側に流動して限定された狭い箇所に集合される。したがって、該狭い箇所に集中された汚物上に吸水剤を散布することにより、該汚物全体を吸水剤に効果的に接触させてしっかりと凝固させることができ、これにより、汚物を衛生的にかつ容易に廃棄処理することができる。しかも、便収容袋は凝固した汚物を廃棄した後は繰り返して使用することができると共に、通常のゴミ袋も使用できるので、経済的であり、簡易トイレは便座支持台の内側に傾斜した受板を配置するだけであるから、構造も簡単である。
【００１０】
請求項２に係る簡易トイレによれば、便座支持台を台座によって設置面に安定良く支持させることができると共に、前記受板を便座支持台の下端部の内側にしっかりと配置することができる。
【００１１】
請求項３に係る簡易トイレによれば、台座はその両端部の起立部と受板とによって剛性が高められて、便座支持台の下端縁をしっかりと固定して該便座支持台を一層安定良く設置面に支持させることができると共に、受板を便座支持台の内側に容易に配置することができる。
【００１２】
請求項４に係る簡易トイレによれば、簡易トイレの一式が専用の格納箱等を使用することなく簡単にまとめて携帯して移動させることができ、所要時に速やかに取り出して使用することができると共に、簡易トイレ用の専用の収納箱を片づけて保管、管理する必要もない。
【発明を実施するための最良の形態】
【００１３】
以下、本発明の一実施の形態に係る簡易トイレについて添付図面を参照して説明する。
図１〜図６は本発明の一実施の形態に係る簡易トイレ１を示す。
この簡易トイレ１は、内側に空間Ｅが設けられた便座支持台２と、用便用開口部３ａを有し前記便座支持台２の上端に着脱自在に取り付けられる便座３と、前記便座支持台２の内側の空間Ｅ内に配置され、上端の開口部４ａを前記便座３の用便用開口部３ａに連通させて上端縁（周縁部）４ｂを前記便座支持台２の上端に着脱自在に装着される便収容袋４（図５参照）と、該便収容袋の底部４ｃを支える受板５を一体に有して前記便座支持台２の下端に着脱自在に取り付けられる台座６とを備えている。
【００１４】
前記便座支持台２は、図７に示すように、一端（図７で上端）に係合突起２ａ，２ｂを、他端（図７で下端）に切込み部２ｄ，２ｄをそれぞれ設けた矩形平板状の段ボール材２ｅを、折れ線ｓで矢印方向に折り曲げてのりしろ２ｆを介して両側部（図７で左右部）を接着剤で接着することにより、上下端部が開口して矩形筒状体（筒状体）に形成されている。前記係合突起２ａと係合突起２ｂはそれぞれ矩形筒状体の側面壁と端面壁となる部分に配置されるように段ボール材２ｅの長手方向（図７で左右方向に）交互に設けられ、その突出高さは段ボール材２ｅの厚さの２倍とされている。また、前記切込み部２ｄは、矩形筒状体の側面壁となる部分に前記矩形筒状体の下辺に平行な凹部２ｄ１と、その両側で下辺に直角な係合溝２ｄ２とを有している。前記凹部２ｄ１の深さは段ボール材２ｅの厚さよりやや大きくされ、前記係合溝２ｄ２の幅は段ボール材２ｅの厚さと略同じにされている。
【００１５】
前記便座３は、便座板７と便座カバー８とからなっている。前記便座板７は、図８に示すように、前記便座支持台２の矩形筒状体の横断面より大きな矩形状平板の段ボール材７ａで形成され、中央部に前後方向（図２、図５で左右方向、図８で上下方向）に長い矩形状の用便用開口部７ｂが貫通して設けられ、その周辺部には、前記便座支持台２の係合突起２ａ，２ｂがそれぞれ嵌入する係合溝７ｃ，７ｄが設けられている。そして、前記便座板７は、２枚が重ねられて前記便座支持台２の上端に、前記係合突起２ａ，２ｂと係合溝７ｃ，７ｄを介して着脱自在に取り付けられるようになっている。前記便座板７は、２枚に限らず、その厚さに応じて１枚もしくは３枚以上とすることができる。
【００１６】
また、前記便座カバー８は、図９に示すように、中央部に前記便座板７の用便用開口部７ｂと同じ大きさの用便用開口部８ａを設けた矩形状平板の段ボール材８ａを、その四隅に設けた切込み溝８ｂと四辺に沿って配した折れ線ｓとを利用して、天板８ａ１の周囲四辺の各折込み片８ｃ，８ｃ、８ｄ，８ｄを互いに接近する方向に折り曲げて、隣接する折込み片を相互にのりしろ８ｅを介して接着剤で接着することにより、深さの浅い矩形の容器蓋状に形成されている。前記便座カバー８の内周部の口径は前記便座板７の外径より僅かに大きくされている。
【００１７】
また、前記台座６は、図１０に示すように、四隅に係合溝６ａを、一端側（図１０で左側）に係合凹部６ｂを設けた矩形状平板の段ボール材６ｃを、平行な折込み線ｓ、ｓで一対の起立部６ｄ，６ｅを中央の接地部６ｆに対して直角に折り曲げて形成されている。そして、前記台座６の他端側には、一端側と反対側へ向けて突き出した突出部５ａを有する矩形状平板からなる前記受板５が一体に設けられており、該受板５を、台座６の他端側の辺に相当する部分に配した折れ線ｓで台座６の接地部６ｆの上側に位置するように折り曲げて、前記突出部５ａを前記一端側の起立部６ｄの係合凹部６ｄに着脱可能に挿入されて、その段部５ｂが起立部６ｄの内側に当接された状態とされる。この状態では、一端側の起立部６ｄの係合凹部６ｂまでの高さが、他端側の起立部６ｅの高さより低くなっているので、前記受板５は一端側（図１、図２、図５で左側、簡易トイレ１の前側）が他端側（図１、図２、図５で右側、簡易トイレ１の後側）より低くなるように傾斜される。
【００１８】
前記のように形成された台座６は、前記便座支持台２の下端に配置され、前記起立部６ｄ，６ｅの係合溝６ａを、前記便座支持台２の矩形筒状体の側面壁の係合溝２ｄ２の位置において該側面壁に嵌合させて、便座支持台２の下端に着脱自在に取り付けられるようになっている。その際、前記台座６は、その接地部６ｆが便座支持台２の凹部２ｄ１に挿入されて、便座支持台２の矩形筒状体の下端面と前記接地部６ｆの下面とが面一となり、前記起立部６ｄ，６ｅが前記矩形筒状体の側面壁に直交し、両端部を該側面壁より外側に突き出した状態となって、便座支持台２を起立状態に安定良く支持するようになっている。
【００１９】
また、前記便収容袋４は、ポリエチレン、ポリ塩化ビニール等の合成樹脂材料からなる薄肉のシートによって、底部４ｃを閉鎖して上端部を開口させた袋状に形成したものであり、前記便座板７を取り付けた便座支持台２の内部に挿入されて、底部４ａが前記受板５の上面に載せられ、上端が前記便座板７の用便用開口部７ｂからその外側に出されて、開口部４ａの上端縁４ｂが前記用便用開口部７ｂの周縁の便座板７に沿わされ、便座板７の上方からそれに被せられる便座カバー８によって押さえられるようになっている。
【００２０】
また、前記簡易トイレに１には、前記便座カバー８に被せる扁平な矩形箱状の蓋体９が設けられている。該蓋体９は、図１１に示すように、矩形状平板の段ボール材９ａを、その四隅に設けた切込み溝９ｂと四辺に沿って配した折れ線ｓとを利用して、天板９ａ１の周囲四辺の各折込み片９ｃ，９ｃ、９ｄ，９ｄを互いに接近する方向に折り曲げて、隣接する折込み片どうしをのりしろ９ｅを介して接着剤で接着することにより、前記便座カバー８と同様な形状に形成されている。前記蓋体９の内周部の口径は前記便座カバー８の外径より僅かに大きくされている。
【００２１】
次に、前記構成の簡易トイレ１の使用方法について説明する。
前記簡易トイレ１は、不使用時は、図１２に示すように、前記便座カバー８の用便用開口部８ｂをその打抜き片８ｆで塞いでおき、該便座カバー８を収納箱として、その内部に、例えば、下から順に便座板７、折れ線ｍで端面壁側を内側に凹むように折り畳んで扁平にした便座支持台２、境界部の折れ線ｓで二つ折りして扁平にした受板５と一体の台座６、便収納袋４をそれぞれ格納して、前記蓋体９を便座カバー８に被せて保管されている。
【００２２】
そこで、トイレ設備のない野外へ出かける際や災害時等においては、前記便座カバー８と蓋体９とからなる収納箱に収納された簡易トイレ一式を携帯していき、トイレを必要とするときは、図１３に示すように、前記蓋体９を外して便座カバー８の中から便座板７、便座支持台２、受板５および台座６、便収納袋４を取り出す。そして、前記便座支持台２をその折れ線ｍの部分を外側に引き出して矩形筒状にし、前記受板５が台座６の上になるように折り曲げかつ起立部６ｄ，６ｅを上側に直立に折り曲げた状態の台座６を、便座支持台２の凹部２ｄ１、係合溝２ｄ２と台座６の切込み溝６ａを利用して、前記便座支持台２の下端に組み付ける。
【００２３】
さらに、前記便座支持台２の上端に、その係合突起２ａ，２ｂに便座板７の係合溝７ｃ、７ｄを嵌合させることにより、二枚の便座板７を重ねて組み付ける。この後、前記便収容袋４を、その底部４ｃを下にして前記便座板７の用便用開口部７ｂから便座支持台２の内部Ｅに挿入し、底部４ｃが台座６の上側の受板５に沿って載置されるようにする。その際、便収容袋４の開口部４ａの上端縁４ｂは前記便座板７の上面に被せるようにしてその外周縁まで引き延ばした状態とする。次に、便座カバー８を便座板７に被せて便収容袋４の上端縁４ｂを便座板７と便座カバー８とで挟むように設置する。これにより、便収容袋４の上端縁４ｂが便座支持台２の上端に便座板７を介して支持された状態となる。
【００２４】
この状態では、便座支持台２の矩形筒状体の長辺方向に前記便座板７と便座カバー８およびそれらの用便用開口部７ｂ、８ｂ（３ａ）の長辺方向が合わせられて、前記受板５の斜面は前記長辺方向の一方側が他方側より低くなる。そこで、使用者は前記受板５の斜面の低い方を前側にして着座して使用する。このように着座して使用する方が、後述のように汚物が前側に流動し、使用中、用便用開口部３ａから見えにくくなるので好ましい。使用者が使用して便収容袋４内に排泄された大小便等の汚物Ｇは、前記受板５の傾斜にしたがって便座支持台２の前側に流動して、受板５の下部と便座支持台２の前側の端面壁の内面とで囲まれたポケット部Ｐに集合されるので、使用者は、予め用意された脱臭、殺菌剤の混合された高分子吸水剤（吸水剤）Ｍの粉末を前記ポケット部Ｐに散布する。これにより、汚物Ｇはその中の水分が高分子吸水剤に吸収されて凝固する。前記便収容袋４は例えば５，６回程度使用した後に、便座カバー８を便座板７から外して便座支持台２の内部から取り出して、凝固した汚物Ｇを便収容袋４ごとビニール袋等の適宜の廃棄処理袋に入れて密封した後、適時に廃棄処分する。
【００２５】
新たな便収容袋４または汚物Ｇを取り出した後の便収容袋４は、再び便座支持台２の内部に入れて便座３（便座板７、便座カバー８）に装着して次の使用のために備え、次の使用までは蓋体９を便座カバー８の上に被せて置く。前記再使用の便収容袋４は汚損して衛生状態が保てなくなるまでは、必要に応じて繰り返し使用することができ、従来の簡易トイレのように一回または数回に限られることはない。簡易トイレ１を使用する必要がなくなったときは、図１２に示すように、簡易トイレ１はその各構成部分を分解し、折り畳んで便座カバー７と蓋体９とからなる収納箱にまとめて収納した後、保管場所に運んで格納する。なお、前記便収容袋４は、開口部を巾着形状にして縛って捨てる専用の袋を必要とせず、緊急時には、適宜の大きさの通常のゴミ袋（着色したものが好ましい）を、便座板７に被せて便座カバー８の上に使用者が座ることで便座支持台２上に簡単に固定して使用することができる。
【００２６】
以上説明したように、前記実施の形態に係る簡易トイレ１は、内側に空間Ｅが設けられた便座支持台２と、用便用開口部３ａ（７ｂ，８ｂ）を有し前記便座支持台２の上端に着脱自在に取り付けられる便座３と、前記便座支持台２の内側の空間Ｅ内に配置され、上端の開口部４ａを前記便座３の用便用開口部３ａ（７ｂ，８ｂ）に連通させて上端縁４ｂを、前記便座３を介して前記便座支持台２の上端に着脱自在に装着される便収容袋４とを備え、前記便座支持台２の空間Ｅの下部に、前記便収容袋４の底部４ｃを前側（一方側）が後側（他方側）より低くなるように傾斜させて支える受板５が設けられた構成とされている。
【００２７】
したがって、前記実施の形態に係る簡易トイレ１によれば、前記便座支持台２の内側の下部に配置した受板５によって、便収納袋４の底部４ｃが前側を後側より低くなるように傾斜した状態で支持され、便収容袋４の前側に限定された容積部であるポケット部Ｐが形成されるので、前記便収納袋４内に排泄された排便等の汚物Ｇは低い側に流動して前記ポケット部Ｐに流入して集合される。そのため、該ポケット部Ｐに集合された汚物Ｇ上に高分子吸水剤Ｍを散布することにより、該汚物全体を高分子吸水剤（吸水剤）に効果的に接触させてしっかりと凝固させることができ、これにより、汚物を衛生的にかつ容易に廃棄処理することができる。しかも、便収容袋は凝固した汚物を廃棄した後は繰り返して使用することができると共に、通常のゴミ袋も使用できるので、経済的であり、簡易トイレ１は便座支持台２の内側に傾斜した受板５を配置するだけであるから、構造も簡単である。
【００２８】
また、前記実施の形態に係る簡易トイレ１によれば、前記便座支持台２は上下が開放された矩形筒状体に形成され、該矩形筒状体の下端に、矩形筒状体を横切って短辺方向に向けられて矩形筒状体の外側に突き出した台座６が着脱自在に組み付けられ（装着され）、該台座６に前記受板５が支持された構成とされているので、便座支持台２を台座６によって設置面に安定良く支持させることができると共に、前記受板５を便座支持台２の下端部の内側にしっかりと配置させることができる。
【００２９】
しかも、前記台座６は、矩形状平板を一対の折れ線ｓで折り曲げてその両端部に一端側（前側）が他端側（後側）より高さの低い一対の起立部６ｄ，６ｅが形成され、該各起立部６ｄ，６ｅの両側に前記便座支持台２の下端部に係合する係合溝６ａが設けられると共に、前記矩形状平板の他端部に一体に連結された台座６より小さい矩形状平板からなる前記受板５が、台座６との連結部の折れ線ｓで台座６の一端側に折り曲げられて、該一端部の起立部６ｄに設けた係合凹部６ｂに受板５の自由端側に設けた突出部５ａを着脱可能に形成された構成とされているので、前記台座６はその両端部の起立部６ｄ，６ｅと受板５とによって剛性が高められて、便座支持台２の下端縁をしっかりと固定して該便座支持台２を一層安定良く設置面に支持させることができると共に、受板５を便座支持台２の内側に容易に配置することができる。
【００３０】
さらに、前記実施の形態に係る簡易トイレ１によれば、前記便座３が矩形状の便座板７とその上に被せる矩形箱状の便座カバー８を備えており、該便座カバー８に被せる矩形箱状の蓋体９が設けられると共に、前記便座支持台２と台座６と受板５が扁平に折り畳み可能に形成され、前記便座カバー８の内部に前記便座板７、便座支持台２、台座６、受板５、便収納袋４が重ねられて収納され、これらの収納物を入れた便座カバー８が前記蓋体９を被せて閉じられた状態で携帯可能とされているので、簡易トイレ１の一式が専用の格納箱等を使用することなく簡単にまとめて携帯して移動させることができ、所要時に速やかに取り出して使用することができると共に、簡易トイレ１用の専用の収納箱を片づけて保管、管理する必要もない。
【００３１】
なお、前記実施の形態に係る簡易トイレ１においては、簡易トイレ１の各構成部分を段ボール材で形成したので、軽量で扱い易く安価に製造できて好ましいが、簡易トイレ１の構成材料はこれに限らず、他の板紙や各種複合材の板材を使用することができる。
また、前記便座支持台２を筒状体に形成してその横断面形状を矩形としたが、横断面形状は矩形に限らず、三角形、五角形以上の多角形、円形状、楕円状に形成してもよく、さらに、前記便座支持台２は、筒状でなく、パンタグラフ状の折り畳み可能とした支持脚等、内側に便収納袋４を配置できる空間を有し上端に便座３を支持し得るものであれば特に形状、構造は問わない。
また、前記便座板７と便座カバー８の各用便用開口部７ｂ，８ｂの形状を前後方向に長い矩形に形成したが、該用便用開口部７ｂ、８ｂの形状は、これに限らず、５角形以上の多角形、円形、楕円形等の他の形状とすることもできる。
【００３２】
また、受板５を台座６に一体に設けたが、台座６と別個に設けてもよい。例えば、前記台座６の高さの高い方の起立部６ｅに低い方の起立部６ｄの凹部６ｂと同様の凹部を形成し、それらの凹部どうしに両側に突出部５ａを形成した受板５を掛け渡すようにしてもよい。また、台座６を省略することもでき、その場合には、前記受板５に係合突起を設け、便座支持台２の側面壁等に係合溝を設け、それらの係合突起と係合溝を嵌合うさせることにより、受板５を便座支持台２の下端部の内側に傾斜して配置するようにしてもよい。また、段ボール材を折り曲げて傾斜した上面を有する受台を構成し、これを便座支持台２の内側の設置面に置くようにしてもよい。前記受板５は、中実の平板状に形成したが、これに限らず、適宜大きさの多数の穴を貫通して設けた穴あき板や網状板として形成することもできる。
【図面の簡単な説明】
【００３３】
【図１】本発明の一実施の形態に係る簡易トイレを示す斜視図である。
【図２】同じく平面図である。
【図３】同じく側面図である。
【図４】図３のイ矢視図である。
【図５】図２のロ−ロ断面図である。
【図６】本発明の一実施の形態に係る簡易トイレの便座を取り外した状態の平面図である。
【図７】便座支持台の展開図である。
【図８】便座板の展開図である。
【図９】便座カバーの展開図である。
【図１０】台座と受板の展開図図である。
【図１１】蓋体の展開図である。
【図１２】簡易トイレの構成部材の収納状態を示す断面図である。
【図１３】簡易トイレの使用方法の説明図である。
【符号の説明】
【００３４】
１  簡易トイレ
２  便座支持台
３  便座
４  便収容袋
４ａ  開口部
４ｂ  上端縁（周縁部）
４ｃ  底部
５  受板
５ａ  突出部
６  台座
６ａ  係合溝
６ｂ  係合凹部
６ｄ，６ｅ  起立部
７  便座板
７ｂ，８ｂ  用便用開口部
８  便座カバー
９  蓋体
ｓ  折れ線
【図１】
2007209692.tif 000003
【図２】
2007209692.tif 000004
【図３】
2007209692.tif 000005
【図４】
2007209692.tif 000006
【図５】
2007209692.tif 000007
【図６】
2007209692.tif 000008
【図７】
2007209692.tif 000009
【図８】
2007209692.tif 000010
【図９】
2007209692.tif 000011
【図１０】
2007209692.tif 000012
【図１１】
2007209692.tif 000013
【図１２】
2007209692.tif 000014
【図１３】
2007209692.tif 000015